(57)【要約】本発明は，１ｘＥＶ−ＤＯシステムと１Ｘシステムの両方をサポートし，１ｘＥＶ−ＤＯシステムとのトラフィック状態において１Ｘシステムに周期的に転換してオーバーヘッドメッセージの更新および検索時間の確認を行い，検索時間に基づいて１ｘＥＶ−ＤＯシステムに転換するハイブリッド端末機と；ハイブリッド端末機との間でパケットデータを交換する１ｘＥＶ−ＤＯ伝送機と音声またはデータを交換する１Ｘ伝送機とを含む基地局伝送機と；１ｘＥＶ−ＤＯ伝送機のパケットデータ伝送サービスを制御する１ｘＥＶ−ＤＯ制御機と１Ｘ伝送機の伝送サービスを制御する１Ｘ制御機とを含む基地局制御機と；１ｘＥＶ−ＤＯシステムとの間でパケットデータを交換するために１ｘＥＶ−ＤＯシステムに接続されるパケットデータサービングノードとからなる。
2006512872.tif 000002
【特許請求の範囲】
【請求項１】
ＣＤＭＡ  ２０００  １ｘＥＶ−ＤＯ（１ｘＥＶ−ＤＯ）システムとのトラフィック状態において１Ｘシステムに対する所定の検索時間を制限して前記１ｘＥＶ−ＤＯシステムとハイブリッド端末機との間で生じる呼接続解除を防止するシステムであって，
前記１Ｘシステムと連動して音声信号伝送サービスまたは低速データ伝送サービスを前記１Ｘシステムから受ける１Ｘモードと，前記１ｘＥＶ−ＤＯシステムと連動して高速データ伝送サービスを前記１ｘＥＶ−ＤＯシステムから受ける１ｘＥＶ−ＤＯモードとの２つのモードで機能し，前記１ｘＥＶ−ＤＯシステムとトラフィック状態において，オーバーヘッドメッセージを更新するために前記１Ｘモードに周期的に転換され，前記所定の検索時間が経過すると前記１ｘＥＶ−ＤＯモードに復帰される前記ハイブリッド端末機と；
前記ハイブリッド端末機との間でパケットデータを送受信する１ｘＥＶ−ＤＯ伝送機と，前記ハイブリッド端末機との間で音声またはデータを送受信する１Ｘ伝送機とを含む基地局伝送機と；
前記１ｘＥＶ−ＤＯ伝送機のパケットデータ伝送サービスを制御する１ｘＥＶ−ＤＯ制御機と，前記１Ｘ伝送機の伝送サービスを制御する１Ｘ制御機とを含む基地局制御機と；
前記１ｘＥＶ−ＤＯシステムとの間で前記パケットデータを送受信するために，前記１ｘＥＶ−ＤＯ制御機に接続されるパケットデータサービングノード（ＰＤＳＮ）と；
を備えること特徴とする，１ｘＥＶ−ＤＯシステムとのトラフィック状態において１Ｘシステムに対する所定の検索時間を制限して前記１ｘＥＶ−ＤＯシステムとハイブリッド端末機との間で生じる呼接続解除を防止するシステム。
【請求項２】
前記所定の検索時間は，前記１ｘＥＶ−ＤＯシステムとトラフィック状態にある前記ハイブリッド端末機が前記１Ｘモードに転換されてから，前記１Ｘシステムで呼出応答および位置登録に用いられる前記オーバーヘッドメッセージを更新するために必要とされる時間であることを特徴とする，請求項１に記載の１ｘＥＶ−ＤＯシステムとのトラフィック状態において１Ｘシステムに対する所定の検索時間を制限して前記１ｘＥＶ−ＤＯシステムとハイブリッド端末機との間で生じる呼接続解除を防止するシステム。
【請求項３】
前記ハイブリッド端末機は，前記１Ｘモードに転換している時間が前記所定の検索時間を経過すると，前記１Ｘシステムに対する検索作業を中止して前記１ｘＥＶ−ＤＯモードに復帰することを特徴とする，請求項１に記載の１ｘＥＶ−ＤＯシステムとのトラフィック状態において１Ｘシステムに対する所定の検索時間を制限して前記１ｘＥＶ−ＤＯシステムとハイブリッド端末機との間で生じる呼接続解除を防止するシステム。
【請求項４】
前記ハイブリッド端末機は，待機状態に際して前記１Ｘシステムと通信を行うために前記１Ｘモードに設定され，前記１ｘＥＶ−ＤＯシステムを通じてのデータ着信の有無を確認するために，所定の時間間隔で前記１ｘＥＶ−ＤＯモードに周期的に転換されて，再び前記１Ｘモードに復帰することを特徴とする，請求項１に記載の１ｘＥＶ−ＤＯシステムとのトラフィック状態において１Ｘシステムに対する所定の検索時間を制限して前記１ｘＥＶ−ＤＯシステムとハイブリッド端末機との間で生じる呼接続解除を防止するシステム。
【請求項５】
前記ハイブリッド端末機は，前記１ｘＥＶ−ＤＯモードで前記１ｘＥＶ−ＤＯシステムから高速データを受信しながら，前記１Ｘシステムを通じての信号着信の有無を確認するために所定の時間間隔で前記１Ｘモードに周期的に転換されて，再び前記１ｘＥＶ−ＤＯモードに復帰することを特徴とする，請求項１に記載の１ｘＥＶ−ＤＯシステムとのトラフィック状態において１Ｘシステムに対する所定の検索時間を制限して前記１ｘＥＶ−ＤＯシステムとハイブリッド端末機との間で生じる呼接続解除を防止するシステム。
【請求項６】
前記１ｘＥＶ−ＤＯシステムから前記ハイブリッド端末機にデータを伝送する順方向リンクの場合には，ＴＤＭＡ（Ｔｉｍｅ  Ｄｉｖｉｓｉｏｎ  Ｍｕｌｔｉｐｌｅ  Ａｃｃｅｓｓ）方式が用いられ，前記ハイブリッド端末機から前記１ｘＥＶ−ＤＯシステムにデータを伝送する逆方向リンクの場合には，ＣＤＭＡ（Ｃｏｄｅ  Ｄｉｖｉｓｉｏｎ  Ｍｕｌｔｉｐｌｅ  Ａｃｃｅｓｓ）方式が用いられることを特徴とする，請求項１に記載の１ｘＥＶ−ＤＯシステムとのトラフィック状態において１Ｘシステムに対する所定の検索時間を制限して前記１ｘＥＶ−ＤＯシステムとハイブリッド端末機との間で生じる呼接続解除を防止するシステム。
【請求項７】
前記順方向リンクの場合には，電力制御を行わずに最大電力でデータを伝送することによりハードハンドオフが実行され，前記逆方向リンクの場合には，各々のハイブリッド端末機に対して電力制御を行うとともにソフトハンドオフが実行されることを特徴とする，請求項６に記載の１ｘＥＶ−ＤＯシステムとのトラフィック状態において１Ｘシステムに対する所定の検索時間を制限して前記１ｘＥＶ−ＤＯシステムとハイブリッド端末機との間で生じる呼接続解除を防止するシステム。
【請求項８】
前記ハイブリッド端末機は，ＭＳＭ(Ｍｏｂｉｌｅ  Ｓｔａｔｉｏｎ  Ｍｏｄｅｍ)チップの制御の下で前記１Ｘシステムの周波数を追跡することにより，前記１ｘＥＶ−ＤＯモードから前記１Ｘモードに転換されることを特徴とする，請求項１に記載の１ｘＥＶ−ＤＯシステムとのトラフィック状態において１Ｘシステムに対する所定の検索時間を制限して前記１ｘＥＶ−ＤＯシステムとハイブリッド端末機との間で生じる呼接続解除を防止するシステム。
【請求項９】
前記順方向リンクは，前記１ｘＥＶ−ＤＯシステムによる前記ハイブリッド端末機の追跡のためのパイロット信号を送出するために用いられるパイロットチャネルと；
前記逆方向リンクを制御するために用いられるＭＡＣ(Ｍｅｄｉｕｍ  Ａｃｃｅｓｓ  Ｃｏｎｔｒｏｌ)チャネルと；
前記１ｘＥＶ−ＤＯシステムから前記ハイブリッド端末機に，ブロードキャストメッセージ，または特定のハイブリッド端末機を直接制御するためのダイレクトメッセージを伝送するために用いられる制御チャネルと；
前記１ｘＥＶ−ＤＯシステムから前記ハイブリッド端末機に，パケットデータのみを伝送するために用いられるトラフィックチャネルと；
を含むことを特徴とする，請求項６に記載の１ｘＥＶ−ＤＯシステムとのトラフィック状態において１Ｘシステムに対する所定の検索時間を制限して前記１ｘＥＶ−ＤＯシステムとハイブリッド端末機との間で生じる呼接続解除を防止するシステム。
【請求項１０】
前記システムは，前記ハイブリッド端末機から伝送される通信呼に対して，通信接続経路を転換することにより，前記１Ｘシステムの前記通信接続経路を提供する移動通信交換局をさらに備えることを特徴とする，請求項１に記載の１ｘＥＶ−ＤＯシステムとのトラフィック状態において１Ｘシステムに対する所定の検索時間を制限して前記１ｘＥＶ−ＤＯシステムとハイブリッド端末機との間で生じる呼接続解除を防止するシステム。
【請求項１１】
ＣＤＭＡ  ２０００  １ｘＥＶ−ＤＯ（１ｘＥＶ−ＤＯ）システムとのトラフィック状態において１Ｘシステムに対する所定の検索時間を制限して呼接続解除を防止する方法であって，
（ａ）前記ハイブリッド端末機が前記１Ｘモードおよび前記１ｘＥＶ−ＤＯモードを順次に初期化し，待機状態を維持するステップと；
（ｂ）前記ハイブリッド端末機が前記待機状態において前記１Ｘシステムと前記１ｘＥＶ−ＤＯシステムに対して周期的に交互にモニタリングを実行するステップと；
（ｃ）前記ハイブリッド端末機が前記１ｘＥＶ−ＤＯモードのトラフィック状態に移行し，前記１ｘＥＶ−ＤＯシステムとの間にコネクションおよびセッションが形成されることにより，前記１ｘＥＶ−ＤＯシステムとの間でパケットデータの送受信を可能ならしめるステップと；
（ｄ）所定のモニタリング時間の経過後，前記ハイブリッド端末機が前記１Ｘモードに転換されるステップと；
（ｅ）前記ハイブリッド端末機が前記１Ｘモードへ転換されると，転換時間を確認して前記１Ｘシステムの信号を検知するステップと；
（ｆ）前記転換時間が所定の復帰開始時間に達すると，前記ハイブリッド端末機が前記１ｘＥＶ−ＤＯモードに復帰するステップと；
を含むことを特徴とする，１ｘＥＶ−ＤＯシステムとのトラフィック状態において１Ｘシステムに対する所定の検索時間を制限して前記１ｘＥＶ−ＤＯシステムとハイブリッド端末機との間で生じる呼接続解除を防止する方法。
【請求項１２】
前記ステップ（ａ）において，
前記ハイブリッド端末機は，前記１Ｘモードの初期化に際して得たシステムパラメータを用いて，前記１ｘＥＶ−ＤＯモードを初期化することを特徴とする，請求項１１に記載の１ｘＥＶ−ＤＯシステムとのトラフィック状態において１Ｘシステムに対する所定の検索時間を制限して前記１ｘＥＶ−ＤＯシステムとハイブリッド端末機との間で生じる呼接続解除を防止する方法。
【請求項１３】
前記ステップ（ｄ）において，
前記所定のモニタリング時間は，前記ハイブリッド端末機が前記１ｘＥＶ−ＤＯモードに転換されてからの５．１２秒であることを特徴とする，請求項１１に記載の１ｘＥＶ−ＤＯシステムとのトラフィック状態において１Ｘシステムに対する所定の検索時間を制限して前記１ｘＥＶ−ＤＯシステムとハイブリッド端末機との間で生じる呼接続解除を防止する方法。
【請求項１４】
前記ステップ（ｅ）において，
前記所定の復帰開始時間は，前記１Ｘシステムの前記信号を検知するために前記１Ｘモードに転換された前記ハイブリッド端末機が，前記１ｘＥＶ−ＤＯモードへの復帰を開始する前記転換時間であることを特徴とする，請求項１１に記載の１ｘＥＶ−ＤＯシステムとのトラフィック状態において１Ｘシステムに対する所定の検索時間を制限して前記１ｘＥＶ−ＤＯシステムとハイブリッド端末機との間で生じる呼接続解除を防止する方法。
【請求項１５】
前記ステップ（ｅ）において，
前記所定の復帰開始時間は，前記ハイブリッド端末機と前記１ｘＥＶ−ＤＯシステムとの間の呼接続解除のために必要とされる呼接続解除時間より短いことを特徴とする，請求項１１に記載の１ｘＥＶ−ＤＯシステムとのトラフィック状態において１Ｘシステムに対する所定の検索時間を制限して前記１ｘＥＶ−ＤＯシステムとハイブリッド端末機との間で生じる呼接続解除を防止する方法。
【請求項１６】
前記所定の復帰開始時間は，ＳＣＩ（Ｓｌｏｔ  Ｃｙｃｌｅ  Ｉｎｄｅｘ）の整数倍として設定されることを特徴とする，請求項１５に記載の１ｘＥＶ−ＤＯシステムとのトラフィック状態において１Ｘシステムに対する所定の検索時間を制限して前記１ｘＥＶ−ＤＯシステムとハイブリッド端末機との間で生じる呼接続解除を防止する方法。
【請求項１７】
前記所定の復帰開始時間は，３．３６秒または４．４８秒として設定されることを特徴とする，請求項１５に記載の１ｘＥＶ−ＤＯシステムとのトラフィック状態において１Ｘシステムに対する所定の検索時間を制限して前記１ｘＥＶ−ＤＯシステムとハイブリッド端末機との間で生じる呼接続解除を防止する方法。
【請求項１８】
前記ステップ（ｅ）において，
前記ハイブリッド端末機は，前記１Ｘシステムに対する検知により受信された前記オーバーヘッドメッセージを所定のメモリに格納することを特徴とする，請求項１１に記載の１ｘＥＶ−ＤＯシステムとのトラフィック状態において１Ｘシステムに対する所定の検索時間を制限して前記１ｘＥＶ−ＤＯシステムとハイブリッド端末機との間で生じる呼接続解除を防止する方法。
【請求項１９】
前記ステップ（ｆ）において，
前記ハイブリッド端末機は，内蔵のＭＳＭチップの制御の下でサーチャーモジュールを用いて前記１Ｘ−ＤＯシステムで使用する周波数を追跡することにより，前記１ｘＥＶ−ＤＯモードに復帰されることを特徴とする，請求項１１に記載の１ｘＥＶ−ＤＯシステムとのトラフィック状態において１Ｘシステムに対する所定の検索時間を制限して前記１ｘＥＶ−ＤＯシステムとハイブリッド端末機との間で生じる呼接続解除を防止する方法。
【請求項２０】
前記ハイブリッド端末機は，前記１Ｘシステムに対する前回の検索で受信および格納された重要な前記オーバーヘッドメッセージを前記１Ｘシステムに対する次回の検索のために用いることを特徴とする，請求項１１または１８に記載の１ｘＥＶ−ＤＯシステムとのトラフィック状態において１Ｘシステムに対する所定の検索時間を制限して前記１ｘＥＶ−ＤＯシステムとハイブリッド端末機との間で生じる呼接続解除を防止する方法。
【請求項２１】
前記オーバーヘッドメッセージは，システムパラメータメッセージ，アクセスパラメータメッセージ，拡張されたシステムパラメータメッセージ，ネイバーリストパラメータメッセージ，およびチャネルリストパラメータメッセージのいずれか１つ以上を含むことを特徴とする，請求項２０に記載の１ｘＥＶ−ＤＯシステムとのトラフィック状態において１Ｘシステムに対する所定の検索時間を制限して前記１ｘＥＶ−ＤＯシステムとハイブリッド端末機との間で生じる呼接続解除を防止する方法。
【請求項２２】
ＣＤＭＡ  ２０００  １ｘＥＶ−ＤＯ（１ｘＥＶ−ＤＯ）システムとのトラフィック状態において１Ｘシステムに対する所定の検索時間を制限して前記１ｘＥＶ−ＤＯシステムとハイブリッド端末機との間で生じる呼接続解除を防止するハイブリッド端末機であって，
前記１ｘＥＶ−ＤＯモードから前記１Ｘモードに転換されると，転換時間を測定するタイマーと；
前記１Ｘモードと前記１ｘＥＶ−ＤＯモードとの間の前記転換を実行するために周波数を追跡および変更し，オーバーヘッドメッセージを受信するサーチャーモジュールと；
前記サーチャーモジュールから受信される前記オーバーヘッドメッセージを復調するフィンガーモジュールと；
前記１Ｘシステムと前記１ｘＥＶ−ＤＯシステムとを交互に周期的に検索し，前記１Ｘシステムに対する検索に際して前記タイマーから復帰開始信号を受信すると，復帰制御信号を生成して前記サーチャーモジュールに伝達するＭＳＭチップと；
を備えることを特徴とする，１ｘＥＶ−ＤＯシステムとのトラフィック状態において１Ｘシステムに対する所定の検索時間を制限して呼接続解除を防止するハイブリッド端末機。
【請求項２３】
前記タイマーは，測定される前記転換時間が前記所定の復帰開始時間に達すると，前記復帰開始信号を生成して前記ＭＳＭチップに伝送することを特徴とする，請求項２２に記載の１ｘＥＶ−ＤＯシステムとのトラフィック状態において１Ｘシステムに対する所定の検索時間を制限して前記１ｘＥＶ−ＤＯシステムとハイブリッド端末機との間で生じる呼接続解除を防止するハイブリッド端末機。
【請求項２４】
前記ハイブリッド端末機は，所定のモニタリング周期に基づいて前記１Ｘシステムまたは前記１ｘＥＶ−ＤＯシステムで使用する周波数を検索することにより，前記１Ｘモードまたは前記１ｘＥＶ−ＤＯモードで動作することを特徴とする，請求項２２に記載の１ｘＥＶ−ＤＯシステムとのトラフィック状態において１Ｘシステムに対する所定の検索時間を制限して前記１ｘＥＶ−ＤＯシステムとハイブリッド端末機との間で生じる呼接続解除を防止するハイブリッド端末機。
【請求項２５】
前記ＭＳＭチップは，復帰開始時間に関する情報を有しており，前記タイマーで測定される前記転換時間が前記復帰開始時間に達することを確認すると，前記復帰制御信号を生成および伝達することを特徴とする，請求項２２に記載の１ｘＥＶ−ＤＯシステムとのトラフィック状態において１Ｘシステムに対する所定の検索時間を制限して前記１ｘＥＶ−ＤＯシステムとハイブリッド端末機との間で生じる呼接続解除を防止するハイブリッド端末機。
【発明の詳細な説明】
【技術分野】
【０００１】
本発明は，１ｘＥＶ−ＤＯシステムとのトラフィック状態において１Ｘシステムに対する検索時間を制限して前記１ｘＥＶ−ＤＯシステムとハイブリッド端末機との間で生じる呼接続解除を防止する方法およびシステムに係り，より詳細には，ハイブリッド端末機が所定の時間以上にわたって１Ｘモードを維持すると，１ｘＥＶ-ＤＯシステムにより実行されるハイブリッド端末機の呼接続解除を，１ｘＥＶ−ＤＯシステムとトラフィック状態にあるハイブリッド端末機における１Ｘシステムに対する検索時間を所定の時間以内に限定することにより防止する方法およびシステムに関する。
【背景技術】
【０００２】
移動通信システムは，第１世代アナログ型ＡＭＰＳ（Ａｄｖａｎｃｅｄ  Ｍｏｂｉｌｅ  Ｐｈｏｎｅ  Ｓｙｓｔｅｍｓ）と第２世代携帯電話／ＰＣＳ（Ｐｅｒｓｏｎａｌ  Ｃｏｍｍｕｎｉｃａｔｉｏｎ  Ｓｅｒｖｉｃｅ）システムを経て目覚しく発展してきた。最近では，ＩＭＴ-２０００（Ｉｎｔｅｒｎａｔｉｏｎａｌ  Ｍｏｂｉｌｅ  Ｔｅｌｅｃｏｍｍｕｎｉｃａｔｉｏｎ-２０００）が開発され，第３世代高速データ通信システムとして広範に利用されている。
【０００３】
共同的な国際標準化団体である３ＧＰＰ２（３ｒｄ  Ｇｅｎｅｒａｔｉｏｎ  Ｐａｒｔｎｅｒｓｈｉｐ  Ｐｒｏｊｅｃｔ  ２）は，マルチメディア移動通信サービスの提供のために，ＩＭＴ-２０００の規格としてＣＤＭＡ  ＩＭＴ−２０００システム規格を提供する。この規格によれば，Ｑｕａｌｃｏｍ社により提唱されたＨＤＲ（Ｈｉｇｈ  Ｄａｔａ  Ｒａｔｅ）を採用した１ｘＥＶ（Ｅｖｏｌｕｔｉｏｎ）と呼ばれる高速パケット伝送システムが高速パケット伝送システムの国際標準とされている。ＣＤＭＡ２０００  １ｘＥＶ−ＤＯ（Ｄａｔａ  ＯｐｔｉｍｉｚｅｄまたはＤａｔａ  Ｏｎｌｙ）システムは，ＣＤＭＡ２０００  １Ｘシステムから進化し，データのみの伝送のために設計されている。
【０００４】
説明の便宜上，以下の記述においては，ＣＤＭＡ２０００  １Ｘシステムを“１Ｘシステム”，ＣＤＭＡ２０００  １ｘＥＶ−ＤＯシステムを“１ｘＥＶ−ＤＯシステム”と略称する。
【０００５】
１Ｘシステムは，回線(ｃｉｒｃｕｉｔ)網とパケット(ｐａｃｋｅｔ)網の両方を混用し，最大伝送速度３０７．２ｋｂｐｓを伴う高速データサービスを提供する。対照的に，１ｘＥＶ−ＤＯシステムは，パケットデータ専用で，最大伝送速度２．４Ｍｂｐｓを伴う高速パケットデータサービスを提供する。
【０００６】
現在，１ｘＥＶ−ＤＯシステムは，従来の１Ｘシステムとともに混用されている。すなわち，１ｘＥＶ−ＤＯシステムと従来の１Ｘシステムの両方が，互いに別々に動作するにもかかわらず，１つの無線基地局または１つの基地局制御機に導入されている。換言すれば，無線基地局の伝送機は，１ｘＥＶ−ＤＯシステム用のチャネルカード(ｃｈａｎｎｅｌ  ｃａｒｄ)と１Ｘシステム用のチャネルカードをそれぞれ備えている。さらに，基地局制御機は，１ｘＥＶ−ＤＯシステムを通じて伝送されるパケットデータを処理するデータ処理ボードと，１Ｘシステムを通じて伝送されるデータを処理するデータ処理ボードとをそれぞれ備えている。
【０００７】
高速データは，１ｘＥＶ−ＤＯシステムを通じて，無線基地局または基地局制御機などの移動通信システムから移動通信端末機に伝送される。また，音声信号または低速データは，１Ｘシステムを通じて移動通信端末機に伝送される。
【０００８】
ハイブリッド端末機は，１ｘＥＶ−ＤＯシステムと１Ｘシステムの両方から伝送される通信サービスを受信できる移動通信端末機であり，所定の時間間隔で１Ｘシステムと１ｘＥＶ−ＤＯシステムを周期的に交互にモニタリングする。すなわち，ハイブリッド端末機は，待機状態に際して１Ｘシステムと１ｘＥＶ−ＤＯシステムを交互に周期的に検索し，１ｘＥＶ−ＤＯシステムとのトラフィック状態に際して１Ｘシステムを周期的に検索する。
【０００９】
具体的には，１ｘＥＶ−ＤＯシステムとトラフィック状態にあるハイブリッド端末機は，１Ｘシステムから伝送されるかもしれない音声着呼受付信号やショートメッセージなどの低速データ通信信号に応答するために，１Ｘシステムに周期的に接続してシステムメッセージやアクセスメッセージなどのシステムリソ−スを更新する。
【００１０】
しかし，ハイブリッド端末機は，１ｘＥＶ−ＤＯシステムとトラフィック状態にある場合でさえ，１Ｘシステムに周期的に接続してシステムリソースが完全に更新されるまで１Ｘシステムとの接続を維持する。
【００１１】
一方，１ｘＥＶ−ＤＯシステムは，トラフィック状態にあるハイブリッド端末機からの信号を所定の時間間隔（例えば５．１２秒間）以内に受信しない場合，呼接続解除(ｃａｌｌ  ｄｒｏｐ)を実行する。すなわち，１ｘＥＶ−ＤＯシステムは，原因にかかわらず，ハイブリッド端末機からの信号を所定の時間間隔以内に検知しない場合，システムリソースを效率的に使用するために，このハイブリッド端末機に対して呼接続解除を実行する。
【００１２】
しかし，呼接続解除は，通信サービスの信頼性を低下させ，１ｘＥＶ−ＤＯシステムとの呼接続解除を希望しない利用者に迷惑を及ぼす。
【発明の開示】
【発明が解決しようとする課題】
【００１３】
本発明はこのような問題点に鑑みてなされたもので，その目的は，ハイブリッド端末機が所定の時間以上にわたって１Ｘモードを維持すると，１ｘＥＶ-ＤＯシステムにより実行されるハイブリッド端末機の呼接続解除を，１ｘＥＶ−ＤＯシステムとトラフィック状態にあるハイブリッド端末機における１Ｘシステムに対する検索時間を所定の時間以内に限定することにより防止する方法およびシステムを提供することにある。
【課題を解決するための手段】
【００１４】
上記課題を解決するために，本発明のある観点によれば，ＣＤＭＡ  ２０００  １ｘＥＶ−ＤＯ（１ｘＥＶ−ＤＯ）システムとのトラフィック状態において１Ｘシステムに対する所定の検索時間を制限して該１ｘＥＶ−ＤＯシステムとハイブリッド端末機との間で生じる呼接続解除を防止するシステムであって，該１Ｘシステムと連動して音声信号伝送サービスまたは低速データ伝送サービスを該１Ｘシステムから受ける１Ｘモードと，該１ｘＥＶ−ＤＯシステムと連動して高速データ伝送サービスを該１ｘＥＶ−ＤＯシステムから受ける１ｘＥＶ−ＤＯモードとの２つのモードで機能し，該１ｘＥＶ−ＤＯシステムとトラフィック状態において，オーバーヘッドメッセージを更新するために該１Ｘモードに周期的に転換され，該所定の検索時間が経過すると該１ｘＥＶ−ＤＯモードに復帰される該ハイブリッド端末機と；該ハイブリッド端末機との間でパケットデータを送受信する１ｘＥＶ−ＤＯ伝送機と，該ハイブリッド端末機との間で音声またはデータを送受信する１Ｘ伝送機とを含む基地局伝送機と；該１ｘＥＶ−ＤＯ伝送機のパケットデータ伝送サービスを制御する１ｘＥＶ−ＤＯ制御機と，該１Ｘ伝送機の伝送サービスを制御する１Ｘ制御機とを含む基地局制御機と；該１ｘＥＶ−ＤＯシステムとの間で該パケットデータを送受信するために，該１ｘＥＶ−ＤＯ制御機に接続されるパケットデータサービングノード（ＰＤＳＮ）と；を備えること特徴とする，１ｘＥＶ−ＤＯシステムとのトラフィック状態において１Ｘシステムに対する所定の検索時間を制限して呼接続解除を防止するシステムが提供される。
【００１５】
また，上記課題を解決するために，本発明の他の観点によれば，ＣＤＭＡ  ２０００  １ｘＥＶ−ＤＯ（１ｘＥＶ−ＤＯ）システムとのトラフィック状態において１Ｘシステムに対する所定の検索時間を制限して呼接続解除を防止する方法であって，（ａ）該ハイブリッド端末機が該１Ｘモードおよび該１ｘＥＶ−ＤＯモードを順次に初期化し，待機状態を維持するステップと；（ｂ）該ハイブリッド端末機が該待機状態において該１Ｘシステムと該１ｘＥＶ−ＤＯシステムに対して周期的に交互にモニタリングを実行するステップと；（ｃ）該ハイブリッド端末機が該１ｘＥＶ−ＤＯモードのトラフィック状態に移行し，該１ｘＥＶ−ＤＯシステムとの間にコネクションおよびセッションが形成されることにより，該１ｘＥＶ−ＤＯシステムとの間でパケットデータの送受信を可能ならしめるステップと；（ｄ）所定のモニタリング時間の経過後，該ハイブリッド端末機が該１Ｘモードに転換されるステップと；（ｅ）該ハイブリッド端末機が該１Ｘモードへ転換されると，転換時間を確認して該１Ｘシステムの信号を検知するステップと；（ｆ）該転換時間が所定の復帰開始時間に達すると，該ハイブリッド端末機が該１ｘＥＶ−ＤＯモードに復帰するステップと；を含むことを特徴とする，１ｘＥＶ−ＤＯシステムとのトラフィック状態において１Ｘシステムに対する所定の検索時間を制限して該１ｘＥＶ−ＤＯシステムとハイブリッド端末機との間で生じる呼接続解除を防止する方法が提供される。
【００１６】
また，上記課題を解決するために，本発明のさらに他の観点によれば，ＣＤＭＡ  ２０００  １ｘＥＶ−ＤＯ（１ｘＥＶ−ＤＯ）システムとのトラフィック状態において１Ｘシステムに対する所定の検索時間を制限して該１ｘＥＶ−ＤＯシステムとハイブリッド端末機との間で生じる呼接続解除を防止するハイブリッド端末機であって，該１ｘＥＶ−ＤＯモードから該１Ｘモードに転換されると，転換時間を測定するタイマーと；該１Ｘモードと該１ｘＥＶ−ＤＯモードとの間の該転換を実行するために周波数を追跡および変更し，オーバーヘッドメッセージを受信するサーチャーモジュールと；該サーチャーモジュールから受信される該オーバーヘッドメッセージを復調するフィンガーモジュールと；該１Ｘシステムと該１ｘＥＶ−ＤＯシステムとを交互に周期的に検索し，該１Ｘシステムに対する検索に際して該タイマーから復帰開始信号を受信すると，復帰制御信号を生成して該サーチャーモジュールに伝達するＭＳＭチップと；を備えることを特徴とする，１ｘＥＶ−ＤＯシステムとのトラフィック状態において１Ｘシステムに対する所定の検索時間を制限して呼接続解除を防止するハイブリッド端末機が提供される。
【発明の効果】
【００１７】
上記のとおり，従来技術においては，１ｘＥＶ−ＤＯシステムとトラフィック状態にあるハイブリッド端末機が１Ｘシステムを検索すると，各種の原因により呼接続解除が発生する。しかし，本発明によれば，１Ｘシステムに対する検索時間を制限することにより，ハイブリッド端末機は，１ｘＥＶ−ＤＯシステムとの間で呼接続解除が生じる前に１ｘＥＶ−ＤＯモードに復帰できるため，希望しない呼接続解除を解消することができる。
【００１８】
また，本発明によれば，１Ｘシステムおよび１ｘＥＶ−ＤＯシステムのリソ−スを用いずに，ハイブリッド端末機自身が１Ｘシステムに対する検索時間を確認し，１ｘＥＶ−ＤＯモードに復帰するため，１ｘＥＶ−ＤＯシステムの過負荷や通信リソ−スの浪費を防ぐことができる。
【発明を実施するための最良の形態】
【００１９】
以下に，添付した図面を参照しながら，本発明の好適な実施形態について詳細に説明する。なお，本明細書および図面において，実質的に同一の機能構成を有する発明特定事項については，同一の符号を付することにより重複説明を省略する。
【００２０】
図１は，本発明の一実施形態に基づいて，ハイブリッド端末機１１０における１Ｘシステムに対する検索時間を制限して，ハイブリッド端末機１１０の呼接続解除を防止するシステム１００を示す概略ブロック図である。
【００２１】
図１に示すとおり，本発明によるシステム１００は，１ｘＥＶ−ＤＯシステムと１Ｘシステムの両方を備える。すなわち，システム１００は，１Ｘ伝送機１２２，１Ｘ制御機１３２および移動通信交換局（ＭＳＣ：Ｍｏｂｉｌｅ  Ｓｗｉｔｃｈｉｎｇ  Ｃｅｎｔｅｒ）１４０を含み，ハイブリッド端末機１１０と音声およびデータ通信を行う１Ｘシステムを備える。さらに，システム１００は，１ｘＥＶ−ＤＯ（接続網）伝送機（ＡＮＴＳ：Ａｃｃｅｓｓ  Ｎｅｔｗｏｒｋ  Ｔｒａｎｓｃｅｉｖｅｒ  Ｓｕｂｓｙｓｔｅｍ）１２４，１ｘＥＶ−ＤＯ（接続網）制御機（ＡＮＣ：Ａｃｃｅｓｓ  Ｎｅｔｗｏｒｋ  Ｃｏｎｔｒｏｌｌｅｒ）１３４，パケットデータサービングノード(ＰＤＳＮ：Ｐａｃｋｅｔ  Ｄａｔａ  Ｓｅｒｖｉｎｇ  Ｎｏｄｅ)１５０，およびＩＰ(Ｉｎｔｅｒｎｅｔ  Ｐｒｏｔｏｃｏｌ)網１６０を含み，ハイブリッド端末機１１０とデータ通信のみを行う１ｘＥＶ−ＤＯシステムを備える。
【００２２】
ハイブリッド端末機１１０は，１Ｘシステムから音声サービスおよび低速データサービスを受信する部分と，１ｘＥＶ−ＤＯシステムから高速データサービスを受信する部分とで別々に動作する２つの動作部に区分される。ハイブリッド端末機１１０は，待機状態に際しては，１Ｘシステムと通信できるように１Ｘモードに転換される。この状態において，ハイブリッド端末機１１０は，１ｘＥＶ−ＤＯシステムからのデータ着信の有無を確認するために，所定の時間間隔で周期的に１ｘＥＶ−ＤＯモードに転換され，再び１Ｘモードに復帰する。本発明の一実施形態によれば，１ｘＥＶ−ＤＯシステムとのトラフィック状態にあるハイブリッド端末機１１０が１Ｘモードにスイッチングされることを‘転換’と称し，１ｘＥＶ−ＤＯモードにスイッチングされることを‘復帰'と称する。
【００２３】
１Ｘシステムと１ｘＥＶ−ＤＯシステムとの間で行われる転換および復帰動作は，ハイブリッド端末機１１０に実装されているベースバンドモデム（ｂａｓｅｂａｎｄ  ｍｏｄｅｍ）チップの一種である移動局モデム（ＭＳＭ：Ｍｏｂｉｌｅ  Ｓｔａｔｉｏｎ  Ｍｏｄｅｍ）チップに搭載されたソフトウェアを用いて制御される。さらに，転換および復帰動作は，ＭＳＭチップに接続されたサーチャー(ｓｅａｒｃｈｅｒ)を用いて各網（ｎｅｔｗｏｒｋ）の周波数を追跡(ｔｒａｃｋｉｎｇ)することにより実現される。すなわち，ハイブリッド端末機１１０の１ｘＥＶ−ＤＯモードから１Ｘモードへの転換に際しては，サーチャーモジュールがＭＳＭチップの制御の下で１Ｘシステムの周波数を追跡する。さらに，ハイブリッド端末機１１０の１Ｘモードから１ｘＥＶ−ＤＯモードへの復帰に際しては，サーチャーモジュールが１ｘＥＶ−ＤＯシステムの周波数を追跡する。
【００２４】
ハイブリッド端末機１１０が１ｘＥＶ−ＤＯモードにおいて１ｘＥＶ−ＤＯシステムからデータを受信する際には，ハイブリッド端末機１１０が高速データを受信するため，大量のデータが受信される。よって，アクセス網(ＡＮ)からハイブリッド端末機１１０にデータを伝送する順方向リンク(ｆｏｒｗａｒｄ  ｌｉｎｋ)の場合には，ＣＤＭＡ(Ｃｏｄｅ  Ｄｉｖｉｓｉｏｎ  Ｍｕｌｔｉｐｌｅ  Ａｃｃｅｓｓ)方式により分割されたチャンネルがＴＤＭ（Ｔｉｍｅ  Ｄｉｖｉｓｉｏｎ  Ｍｕｌｔｉｐｌｅｘｉｎｇ）方式により分割されたタイムスロット（ｔｉｍｅ  ｓｌｏｔ）を通じてデータを伝送する。対照的に，ハイブリッド端末機１１０から１ｘＥＶ−ＤＯ伝送機１２４および１ｘＥＶ−ＤＯ制御機１３４にデータを伝送する逆方向リンク(ｒｅｖｅｒｓｅ  ｌｉｎｋ)の場合には，複数の加入者（ｓｕｂｓｃｒｉｂｅｒ）のために従来のＣＤＭＡ方式を通じてデータが伝送される。
【００２５】
また，１ｘＥＶ−ＤＯモードのトラフィック状態でデータを受信するハイブリッド端末機１１０は，１Ｘシステムを通じた音声着信などの信号着信の有無を確認するために，所定の時間間隔で周期的に１Ｘモードに転換され，再び１ｘＥＶ−ＤＯモードに復帰する
【００２６】
１Ｘ伝送機１２２および１ｘＥＶ−ＤＯ伝送機１２４は，ハイブリッド端末機１１０に非接触インターフェース（ａｉｒ  ｉｎｔｅｒｆａｃｅ）を通じて音声およびデータを含む移動通信サービスを提供するために，基地局伝送機(ＢＴＳ：Ｂａｓｅ  ｓｔａｔｉｏｎ  Ｔｒａｎｓｃｅｉｖｅｒ  Ｓｕｂｓｙｓｔｅｍ)１２０を構成する。すなわち，基地局伝送機１２０は，ハイブリッド端末機１１０に対して，１Ｘ伝送機１２２を通じて音声またはデータを伝送し，１ｘＥＶ−ＤＯ伝送機１２４を通じてパケットデータのみを伝送する。
【００２７】
１Ｘ制御機１３２および１ｘＥＶ−ＤＯ制御機１３４は，基地局伝送機１２０の動作を制御する基地局制御機(ＢＳＣ：Ｂａｓｅ  Ｓｔａｔｉｏｎ  Ｃｏｎｔｒｏｌｌｅｒ)１３０を構成する。すなわち，音声またはデータの伝送を制御する１Ｘ制御機１３２は，１Ｘ伝送機１２２から伝送される音声および／またはデータを移動通信交換局１４０に送信し，１ｘＥＶ−ＤＯ制御機１３４は，１ｘＥＶ−ＤＯ伝送機１２４から伝送されるデータをＰＤＳＮ１５０に送信する。
【００２８】
ハイブリッド端末機１１０から伝送される通信呼（ｃｏｍｍｕｎｉｃａｔｉｏｎ  ｃａｌｌ）に対して１Ｘシステムの通信接続経路を提供するために，移動通信交換局１４０は，複数の１Ｘ制御機１３２を他の移動通信交換局または公衆電話交換網（ＰＳＴＮ：Ｐｕｂｌｉｃ  Ｓｗｉｔｃｈｅｄ  Ｔｅｌｅｐｈｏｎｅ  Ｎｅｔｗｏｒｋ）１４６に物理的に接続する。
【００２９】
また，移動通信交換局１４０は，該交換局１４０に登録されたハイブリッド端末機１１０の情報を格納するデータベースである位置情報レジスタ（ＨＬＲ：Ｈｏｍｅ  Ｌｏｃａｔｉｏｎ  Ｒｅｇｉｓｔｅｒ）１４２と，該交換局１４０の領域内に位置するハイブリッド端末機１１０の情報を格納するデータベースである訪問者情報レジスタ（ＶＬＲ：Ｖｉｓｉｔｏｒ  Ｌｏｃａｔｉｏｎ  Ｒｅｇｉｓｔｅｒ）１４４とからハイブリッド端末機１１０のプロファイル（ｐｒｏｆｉｌｅ）情報を得ることにより，加入者の呼信号を処理する。ここで，プロファイル情報は，ＭＩＮ(Ｍｏｂｉｌｅ  Ｉｄｅｎｔｉｆｉｃａｔｉｏｎ  Ｎｕｍｂｅｒ)，ＥＳＮ(Ｅｌｅｃｔｒｉｃａｌ  Ｓｅｒｉａｌ  Ｎｕｍｂｅｒ)，および付加サービスに関する情報を含む。
【００３０】
高速パケットデータシステムである１ｘＥＶ−ＤＯシステムは，ＴＣＰ／ＩＰを基盤としてＰＤＳＮ１５０に接続され，ＩＰ網１６０との間で各種データをＩＰパケットの形態で送受信する。そして，１ｘＥＶ−ＤＯシステムは，ＩＰ網１６０からパケットデータを受信し，ＴＤＭ方式により分割されたタイムスロットを通じてハイブリッド端末機１１０に送信する。そして，１ｘＥＶ−ＤＯシステムは，ＣＤＭＡ方式により変調されるＣＤＭＡデータをハイブリッド端末機１１０から受信し，ＣＤＭＡデータを用いてパケットデータを生成してＰＤＳＮ１５０に伝送する。
【００３１】
順方向リンクの場合には，１ｘＥＶ−ＤＯシステムは，無線基地局の電力制御(ｐｏｗｅｒ  ｃｏｎｔｒｏｌ)を用いずに最大電力でデータを伝送し，ハードハンドオフ（ｈａｒｄ  ｈａｎｄｏｆｆ）機能のみを提供する。一方，逆方向リンクの場合には，各端末機において電力制御が実行され，ハードハンドオフ機能と同様にソフトハンドオフ（ｓｏｆｔ  ｈａｎｄｏｆｆ）機能を提供する。
【００３２】
図２ａと図２ｂは，１ｘＥＶ−ＤＯ伝送機１２４を通じてハイブリッド端末機１１０にデータを伝送する順方向リンクのチャネル構造を示すブロック図である。
【００３３】
図２ａに示すとおり，順方向リンクは，パイロットチャネル，ＭＡＣ(Ｍｅｄｉｕｍ  Ａｃｃｅｓｓ  Ｃｏｎｔｒｏｌ)チャネル，制御チャネル，およびトラフィックチャネルを含む。パイロットチャネルは，１ｘＥＶ−ＤＯシステムにおけるハイブリッド端末機１１０の追跡のためのパイロット信号を送出する。ハイブリッド端末機１１０は，パイロットチャネルを通じて１つ以上のパイロット信号を受信し，最も強い信号を送出した無線基地局に接続する。また，パイロットチャネルは，ハイブリッド端末機１１０を用いて，１ｘＥＶ−ＤＯシステムを有する無線基地局の同期検波(ｃｏｈｅｒｅｎｔ  ｄｅｔｅｃｔｉｏｎ)を行うための基準として用いられる。
【００３４】
ＭＡＣチャネルは，主に逆方向リンクを制御するために用いられ，ＲＡ（Ｒｅｖｅｒｓｅ  Ａｃｔｉｖｉｔｙ）チャネルとＲＰＣ（Ｒｅｖｅｒｓｅ  Ｐｏｗｅｒ  Ｃｏｎｔｒｏｌ）チャネルを含む。ここで，ＲＡチャネルは，逆方向リンクの伝送速度を決定するために用いられる。さらに，逆方向リンクのチャネルが飽和状態にある際には，ＲＡチャネルがハイブリッド端末機１１０に伝送速度を低下させるように要求するために用いられる。また，ハイブリッド端末機１１０が逆方向リンクを通じて信号またはデータを伝送する際には，ＲＰＣチャネルは，送信電力を制御するために用いられる。
【００３５】
制御チャネルは，１ｘＥＶ−ＤＯシステムからハイブリッド端末機１１０に，ブロードキャストメッセージ(ｂｒｏａｄｃａｓｔ  ｍｅｓｓａｇｅ)または特定のハイブリッド端末機を直接制御するためのダレクトメッセージ(ｄｉｒｅｃｔ  ｍｅｓｓａｇｅ)を伝送するために用いられる。トラフィックチャネルは，１ｘＥＶ−ＤＯシステムがハイブリッド端末機１１０にパケットデータのみを伝送する際に用いられる。
【００３６】
以下では，図２ｂに示すとおり，順方向リンクにおけるタイムスロット構造およびデータ構造について詳述する。まず，順方向リンクは，略２６．６７ｍｓの時間間隔を有する１フレーム当りに１６のタイムスロットを含む。さらに，各々のタイムスロットは，前半部スロット(ｆｉｒｓｔ  ｈａｌｆ  ｓｌｏｔ)１０２４チップと後半部スロット(ｓｅｃｏｎｄ  ｈａｌｆ  ｓｌｏｔ)１０２４チップを含む，合計２０４８チップを有する。また，１つのタイムスロット当りに１．６７ｍｓの時間間隔が割り当てられる。
【００３７】
詳細には，前半部および後半部スロットは，それぞれにデータスロット４００チップ，ＭＡＣスロット６４チップ，パイロットスロット９６チップ，ＭＡＣスロット６４チップ，およびデータスロット４００チップを含む。
【００３８】
図３は，ハイブリッド端末機１１０から１ｘＥＶ−ＤＯ伝送機１２４にデータを伝送する逆方向リンクのチャネル構造を示すブロック図である。
【００３９】
図３に示す逆方向リンクは，１Ｘシステムと同様にＣＤＭＡ方式を用いており，アクセスチャネルとトラフィックチャネルを主に含む。アクセスチャネルがパイロットチャネルとデータチャネルとを有し，トラフィックチャネルがパイロットチャネル，ＭＡＣチャネル，応答（Ａｃｋ）チャネル，およびデータチャネルを有する。ここで，ＭＡＣチャネルは，さらにＲＲＩ（Ｒｅｖｅｒｓｅ  Ｒａｔｅ  Ｉｎｄｉｃａｔｏｒ）チャネルとＤＲＣ（Ｄａｔａ  Ｒａｔｅ  Ｃｏｎｔｒｏｌ）チャネルに区分される。
【００４０】
アクセスチャネルは，発信メッセージ(ｏｒｉｇｉｎａｔｉｏｎ  ｃｏｎｎｅｃｔｉｏｎ＿ｒｅｑｕｅｓｔ  ｍｅｓｓａｇｅ)と登録メッセージ(ｒｅｇｉｓｔｒａｔｉｏｎ  ｒｏｕｔｅ＿ｕｐｄａｔｅ  ｍｅｓｓａｇｅ)を伝送するために用いられる。アクセスチャンネルは，無線チャネルの安定性のために，９．６ｋｂｐｓの低い伝送速度を有する。
【００４１】
図３に示すパイロットチャネルは，図２ａに示す順方向リンクのパイロットチャネルと同様に，ハイブリッド端末機１１０を用いて，１ｘＥＶ−ＤＯシステムを有する無線基地局の同期検波を行うための基準として用いられる。データチャネルは，ハイブリッド端末機１１０が１ｘＥＶ−ＤＯシステムと接続する際に必要とされるデータを伝送するために用いられる。
【００４２】
トラフィックチャネルは，ハイブリッド端末機１１０が１ｘＥＶ−ＤＯシステムにパケットデータを伝送する際に用いられる。トラフィックチャンネルは，無線通信環境に応じて多様なデータ伝送速度を提供する。 
【００４３】
パイロットチャネルは，アクセスチャネルに関連して説明されたように，パイロットチャネルの機能と同一の機能を実行する。ＭＡＣチャネルは，トラフィックチャネルのデータ伝送速度を制御するために用いられ，ハイブリッド端末機１１０が１ｘＥＶ−ＤＯシステムに接続されている期間にわたって存在する。ハイブリッド端末機１１０がトラフィックチャネルを通じてデータを伝送する際には，ＭＡＣチャネルのＲＲＩチャネルがトラフィックチャンネルのデータ伝送速度の情報を示す。ＲＲＩ値は，ハイブリッド端末機１１０に表示される。
【００４４】
また，ＤＲＣチャネルは，順方向リンクのチャネル環境に応じて復調可能なデータの伝送速度を決定し，基地局に通知する。すなわち，１ｘＥＶ−ＤＯ伝送機１２４は，順方向リンクのタイムスロットを用いて，ハイブリッド端末機１１０にパケットデータを伝送する。この際，ハイブリッド端末機１１０により送出されるＤＲＣカバー値は，パケットデータの伝送速度を決定する基準となる。ハイブリッド端末機１１０は，ＤＲＣカバー値を決定するために，１ｘＥＶ−ＤＯ伝送機１２４から伝送される搬送波対干渉雑音（Ｃ／Ｉ：Ｃａｒｒｉｅｒ  ｔｏ  Ｉｎｔｅｒｆｅｒｅｎｃｅ）値を測定し，最大の伝送速度を実現し得るＤＲＣカバー値を決定する。
【００４５】
Ａｃｋチャネルは，ハイブリッド端末機１１０によりタイムスロット単位で順方向リンクを通じて受信されるデータに対する応答信号を伝送するために用いられ，データ長の短いデータに適し，干渉を減らすためにタイムスロット長の１／２に相当する。
【００４６】
データチャネルは，アクセスチャネルのデータチャネルと同様に，ハイブリッド端末機１１０がパケットデータのみを伝送する際に用いられる。
【００４７】
一方，トラフィックチャネルの基本伝送単位であるパケットは，２６．６６ｍｓの長さを有し，伝送ビット率がパケットサイズに応じて変化する。パイロットチャネル，トラフィックチャネル，ＤＲＣチャネルおよびＡｃｋチャネルは，直交コードであるウォルッシュコード（Ｗａｌｓｈ  ｃｏｄｅ）を用いて互いに区分される。
【００４８】
図４は，本発明の一実施形態に基づいて，１ｘＥＶ−ＤＯシステムとのトラフィック状態において，ハイブリッド端末機１１０における１Ｘシステムに対する検索時間を制限して，ハイブリッド端末機１１０の呼接続解除を防止する手順を示す図である。
【００４９】
本発明の一実施形態に基づく検索時間とは，１ｘＥＶ−ＤＯシステムとトラフィック状態にあるハイブリッド端末機１１０が１Ｘモードに復帰した後，音声通信，ショートメッセージサービス(ＳＭＳ)の受信などの呼出要請，および位置登録を実行するためにオーバーヘッドメッセージが更新されるまでに要する期間を意味する。
【００５０】
図４に示すとおり，１ｘＥＶ−ＤＯシステムとのトラフィック状態でパケットデータを用いているハイブリッド端末機１１０は，１Ｘシステムによる呼出要請の有無を確認するために所定の時間間隔（例えば５．１２秒）で１Ｘモードに転換され，１Ｘシステムを検索する。ハイブリッド端末機１１０は，１Ｘシステムとの接続が維持されている間に，１Ｘシステムから伝送される呼出要請の処理および位置登録処理を実行するためにオーバーヘッドメッセージを更新する。
【００５１】
ここで，呼出要請とはハイブリッド端末機１１０に音声呼出要請またはＳＭＳが伝送されることを意味する。また，オーバーヘッドメッセージは，システムパラメータメッセージ，アクセスパラメータメッセージ，拡張されたシステムパラメータメッセージ，ネイバーリスト（Ｎｅｉｇｈｂｏｒ  Ｌｉｓｔ）パラメータメッセージ，およびチャネルリスト（Ｃｈａｎｎｅｌ  Ｌｉｓｔ）パラメータメッセージを含む。  
【００５２】
システムパラメータメッセージは，呼着信に必要とされるＮＩＤ（Ｎｅｔｗｏｒｋ  ＩＤ），ＳＣＩ（Ｓｌｏｔ  Ｃｙｃｌｅ  Ｉｎｄｅｘ），パケットゾーンＩＤ（ｐａｃｋｅｔ  ｚｏｎｅ  ＩＤ）などを含む。アクセスパラメータメッセージは，ハイブリッド端末機１１０が１ｘＥＶ−ＤＯシステムから１Ｘシステムに接続するために必要とされる情報を含む。拡張されたシステムパラメータメッセージは，ＩＳ（Ｉｎｔｅｒｉｍ  Ｓｔａｎｄａｒｄ）−９５Ｂシステムから１Ｘシステムへの機能向上により追加されたシステムパラメータを含む。また，ネイバーリストパラメータメッセージは，ハイブリッド端末機１１０が位置するセル（ｃｅｌｌ）に隣接する近傍セルのセルＩＤに関する情報を含む。チャネルリストパラメータメッセージは，ハイブリッド端末機１１０が呼を形成してデータまたは音声を送受信できる周波数チャネルに関する情報を含む。
【００５３】
１ｘＥＶ−ＤＯシステムと１Ｘシステムとの両方を用いる移動電気通信環境において，ハイブリッド端末機１１０は，１Ｘシステムをモニタリングしながら，先述の全てのオーバーヘッドメッセージを更新するまで１Ｘモードを維持する。しかし，１ｘＥＶ−ＤＯシステムは，所定の時間間隔（例えば，規格上の５．１２秒）以内にハイブリッド端末機１１０からの信号を検知しなければ，このハイブリッド端末機１１０に対して呼接続解除を実行する。
【００５４】
よって，本発明によれば，１Ｘモードに転換されたハイブリッド端末機１１０と１ｘＥＶ−ＤＯシステムとの間で呼接続解除が生じないように，ハイブリッド端末機１１０は，１Ｘモードへの転換後５．１２秒以内に１ｘＥＶ−ＤＯモードに復帰する。このような機能は，ハイブリッド端末機１１０の内部で実現される。
【００５５】
詳細には，ハイブリッド端末機１１０は，内装されているＭＳＭチップ，サーチャーモジュール，フィンガーモジュール，およびタイマーを通じて，１Ｘモードから１ｘＥＶ−ＤＯモードに強制的に復帰する。ＭＳＭチップは，ハイブリッド端末機１１０内で生じる各種動作を処理および制御する機能を備えており，ハイブリッド端末機１１０，１ｘＥＶ−ＤＯシステム，１Ｘシステム，および音声やキー値を入力する使用者を通じて入出力および／または送受信される各種データを制御する。また，ＭＳＭチップは，中央処理装置（ＣＰＵ）や音声符号化用のボコーダ（Ｖｏｃｏｄｅｒ）を含む。
【００５６】
よって，ハイブリッド端末機１１０が１ｘＥＶ−ＤＯシステムとトラフィック状態にあると，ＭＳＭチップは，内装されたソフトウェアを用いて一周期間間隔で１Ｘシステムに対するモニタリング動作を実行する。このようなモニタリング動作は，サーチャーモジュールを介して実現される。すなわち，サーチャーモジュールは，ＭＳＭチップの制御の下で所定の時間間隔で１Ｘシステムの周波数を追跡することにより，モニタリング動作を実行する。
【００５７】
一方，サーチャーモジュールによる１Ｘシステムのモニタリング中にサーチャーモジュールを通じて受信される変調信号またはデータは，ＭＳＭチップに伝送された後，ＭＳＭチップによりフィンガーモジュールに伝送される。ＭＳＭチップから変調信号またはデータを受信したフィンガーモジュールは，ＣＤＭＡ復調技法を用いて変調信号またはデータを復調する。また，サーチャーモジュールによる１ｘＥＶ−ＤＯシステムのモニタリング中にサーチャーモジュールを通じて受信される変調信号またはデータは，ＴＤＭＡ復調技法を用いて復調される。
【００５８】
一方，本発明の技術事象によれば，ＭＳＭチップは，１Ｘシステムに対する検索のために１ｘＥＶ−ＤＯモードから１Ｘモ−ドに転換し，ハイブリッド端末機１１０の内蔵タイマーを作動させる。タイマーは，転換時間の測定のためにＭＳＭチップから作動制御信号を受信している際に所定の復帰時間が経過すると，ＭＳＭチップに所定の復帰開始信号を伝達する。
【００５９】
すなわち，本発明の技術事象によれば，ＭＳＭチップまたはタイマーは，１Ｘモードに転換して１Ｘシステムを検索するハイブリッド端末機１１０が１ｘＥＶ−ＤＯモードに復帰するための所定の復帰開始時間情報を格納している。よって，タイマーから所定の復帰開始信号を受信したＭＳＭチップが１Ｘシステムに対する検索を終了し，復帰制御信号を生成してサーチャーに伝達することにより，ハイブリッド端末機は１ｘＥＶ−ＤＯモードに復帰する。この際，ＭＳＭチップは，格納している復帰開始時間を用いて，タイマーにより測定される転換時間が復帰開始時間に到達するか否かを確認し，復帰制御信号を生成してサーチャーに伝達する。
【００６０】
一方，本発明の一実施形態によれば，１Ｘモードに転換されたハイブリッド端末機１１０は，“ＳＣＩ＝１”から“ＳＣＩ＝３”に相当する所定の検索時間にわたってオーバーヘッドメッセージを検索する。ここで，“ＳＣＩ＝１”が規格上１．１２秒であるため，ハイブリッド端末機１１０を１Ｘモードから１ｘＥＶ−ＤＯモードに復帰させる復帰開始時間は，検索終了時間の３．３６秒（１．１２秒×３）である。換言すれば，ハイブリッド端末機１１０が１Ｘモードに転換された後，ＭＳＭチップは，タイマーを用いて３．３６秒の時間を確認すると１Ｘシステムに対する検索動作を中止して，ハイブリッド端末機１１０は１ｘＥＶ−ＤＯモードに復帰する。
【００６１】
一方，ハイブリッド端末機１１０の１Ｘモードへの転換から５．１２秒後に１ｘＥＶ−ＤＯシステムの呼接続解除が生じることを考慮すると，本発明に基づくハイブリッド端末機１１０が１Ｘシステムを検索する検索時間を３．３６秒に設定することが望ましい。この際，ハイブリッド端末機１１０は，１ｘＥＶ−ＤＯシステムとの呼接続解除が生じるまでに１．７６秒の余裕時間を有するため，１ｘＥＶ−ＤＯシステムに安定的に復帰できる。もちろん，本発明の一実施形態によれば，復帰開始時間は，ハイブリッド端末機１１０の安定的な復帰を考慮して‘ＳＣＩ＝３’に相当する３．３６秒に設定されるが，“ＳＣＩ＝４”に相当する４．４８秒に設定されてもよい。この場合，ハイブリッド端末機１１０は，１ｘＥＶ−ＤＯモードへの復帰までに０．６４秒の余裕時間を有するため，１ｘＥＶ−ＤＯシステムに安定的に復帰できる。
【００６２】
一方，ハイブリッド端末機１１０が１Ｘシステムに転換されて接続を維持している際に受信および復調される信号やデータは，ハイブリッド端末機１１０の内部メモリに格納される。よって，ハイブリッド端末機１１０が１ｘＥＶ−ＤＯモードに復帰し，１ｘＥＶ−ＤＯシステムとのトラフィック状態で動作し，所定時間（例えば，５．１２秒）が経過した後に１Ｘモードに再び復帰する。この際，ハイブリッド端末機１１０が前回の１Ｘシステムに対する検索動作で得られたオーバーヘッドメッセージを除くオーバーヘッドメッセージのみを受信および復調すれば，１Ｘシステムにおける呼処理が可能となる。
【００６３】
図５は，本発明の一実施形態に基づいて，１Ｘシステムに対する検索時間を制限して，１ｘＥＶ−ＤＯシステムとのトラフィック状態にあるハイブリッド端末機１１０と１ｘＥＶ−ＤＯシステムとの間での呼接続解除を防止する手順を示すフロー図である。
【００６４】
ハイブリッド端末機１１０は，利用者により電源オンされると，１Ｘシステムの１Ｘ制御機１３２および１Ｘ伝送機１２２からパイロット信号を受信し，１Ｘモードを初期化し，待機状態に維持される。さらに，ハイブリッド端末機１１０は，１Ｘモードの初期化時に得られたシステムパラメータメッセージと，１ｘＥＶ−ＤＯ伝送機１２４および１ｘＥＶ−ＤＯ制御機１３４から伝送されるパイロット信号とを用いて，１ｘＥＶ−ＤＯモードを初期化した後，待機状態に維持される(Ｓ５００)。
【００６５】
ハイブリッド端末機１１０は，１Ｘモードと１ｘＥＶ−ＤＯモードとを初期化した後，１Ｘシステムと１ｘＥＶ−ＤＯシステムとのデュアルモニタリング（ｄｕａｌ  ｍｏｎｉｔｏｒｉｎｇ）を実行する。この場合，ハイブリッド端末機１１０は，１Ｘモードの状態で１ｘＥＶ−ＤＯシステムを５．１２秒間隔で１分間モニタリングして，以降は４０秒間隔でモニタリングする（Ｓ５０２）。
【００６６】
一方，ハイブリッド端末機１１０は，待機状態に際して１Ｘシステムと１ｘＥＶ−ＤＯシステムをモニタリングする。この状態において，１ｘＥＶ−ＤＯ伝送機１２４からハイブリッド端末機１１０にデータが伝送される場合，あるいはハイブリッド端末機１１０のキー操作により１ｘＥＶ−ＤＯシステムにデータが要求される場合，１ｘＥＶ−ＤＯモードが始動されてデータの送受信のためのトラフィック状態に移行されているかどうかが確認される(Ｓ５０４)。ハイブリッド端末機１１０がトラフィック状態に移行されるためには，１ｘＥＶ−ＤＯ伝送機１２４とハイブリッド端末機１１０との間でデータを送受信できるように，１ｘＥＶ−ＤＯ伝送機１２４との間でコネクション(ｃｏｎｎｅｃｔｉｏｎ)およびセッション(ｓｅｓｓｉｏｎ)が形成されていなければならない。
【００６７】
ハイブリッド端末機１１０は，ステップＳ５０４において１ｘＥＶ−ＤＯモードのトラフィック状態に移行すると，１ｘＥＶ−ＤＯシステムとの間でパケットデータを送受信する(Ｓ５０６)。
【００６８】
ステップＳ５０６において，ハイブリッド端末機１１０は，トラフィック状態において１ｘＥＶ−ＤＯシステムとの間でパケットデータを送受信しながら，１Ｘシステムに対する周期的な検索のために，内蔵タイマーを用いて所定のモニタリング時間（例えば，５．１２秒）が経過しているか否かを確認する（Ｓ５０８）。
【００６９】
ハイブリッド端末機１１０は，ステップＳ５０８において所定のモニタリング時間が経過していると判断すると，１Ｘモードに転換され，１Ｘシステムのオーバーヘッドメッセージなどの検索を開始する（Ｓ５１０）。この場合，ハイブリッド端末機１１０は，ＭＳＭチップおよびサーチャーモジュールの動作により１Ｘモードに転換される。
【００７０】
ハイブリッド端末機１１０は，１Ｘシステムからの呼出に応答できるように１Ｘシステムを検索することにより，１Ｘモードに転換され，検索時間を確認するために内蔵タイマーを作動し，オーバーヘッドメッセージなどを受信および復調する（Ｓ５１２）。ハイブリッド端末機１１０は，ステップＳ５１２を通じて検索時間を確認しながら，所定の検索時間（例えば，３．３６秒）が経過しているか否かを継続的に確認する（Ｓ５１４）。
【００７１】
ハイブリッド端末機１１０は，ステップＳ５１４において所定の検索時間が経過していると判断すると，１Ｘシステムに対する検索動作を中止して受信済みのオーバーヘッドメッセージをメモリに格納した後，１ｘＥＶ−ＤＯモードに復帰する（Ｓ５１６）。また，１ｘＥＶ−ＤＯモードに復帰したハイブリッド端末機１１０は，所定のモニタリング時間が経過した後にステップＳ５１０からＳ５１６を反復する。
【００７２】
本発明の一実施形態によれば，１ｘＥＶ−ＤＯシステムとトラフィック状態にあるハイブリッド端末機１１０が，１Ｘシステムで呼出応答または位置登録を行うために１Ｘシステムを検索すると，１ｘＥＶ−ＤＯシステムとの間で呼接続解除が生じるという問題を１Ｘシステムおよび１ｘＥＶ−ＤＯシステムのリソースを用いることなく解消することができる。
【００７３】
以上，添付図面を参照しながら本発明の好適な実施形態について説明したが，本発明はかかる例に限定されない。当業者であれば，特許請求の範囲に記載された技術的思想の範疇内において，各種の変更例または修正例に想到し得ることは明らかであり，それらについても当然に本発明の技術的範疇に属するものと了解される。
【図面の簡単な説明】
【００７４】
【図１】本発明の一実施形態に基づいて，ハイブリッド端末機における１Ｘシステムに対する検索時間を制限して，ハイブリッド端末機の呼接続解除を防止するシステムを示す概略ブロック図である。
【図２ａ】１ｘＥＶ−ＤＯ伝送機を通じてハイブリッド端末機にデータを伝送する順方向リンクのチャネル構造を示すブロック図である。
【図２ｂ】１ｘＥＶ−ＤＯ伝送機を通じてハイブリッド端末機にデータを伝送する順方向リンクのチャネル構造を示すブロック図である。
【図３】ハイブリッド端末機から１ｘＥＶ−ＤＯ伝送機にデータを伝送する逆方向リンクのチャネル構造を示すブロック図である。
【図４】本発明の一実施形態に基づいて，１ｘＥＶ−ＤＯシステムとのトラフィック状態において，ハイブリッド端末機の１Ｘシステムに対する検索時間を制限して，ハイブリッド端末機の呼接続解除を防止する手順を示す図である。
【図５】本発明の一実施形態に基づいて，１Ｘシステムに対する検索時間を制限して，１ｘＥＶ−ＤＯシステムとのトラフィック状態にあるハイブリッド端末機１１０と１ｘＥＶ−ＤＯシステムとの間での呼接続解除を防止する手順を示すフロー図である。
【符号の説明】
【００７５】
１００    システム
１１０    ハイブリッド端末機
１２２    １Ｘ伝送機
１２４    １ｘＥＶ−ＤＯ伝送機
１３２    １Ｘ制御機
１３４    １ｘＥＶ−ＤＯ制御機
１４０    移動通信交換局
１５０    パケットデータサービングノード
１６０    ＩＰ網
【図１】
2006512872.tif 000003
【図２ａ】
2006512872.tif 000004
【図２ｂ】
2006512872.tif 000005
【図３】
2006512872.tif 000006
【図４】
2006512872.tif 000007
【図５】
2006512872.tif 000008
【国際調査報告】
2006512872.tif 000009
2006512872.tif 000010